(57)【要約】      （修正有）【課題】紙葉類収納装置に収納袋を装着する際に、接着部から剥離シートを剥がすことを操作者に気づかせることにより、剥離シートの剥がし忘れを防止することができる収納袋および紙葉類収納装置を提供する。【解決手段】収納袋１０は、袋本体１２における開口１４近傍にそれぞれ設けられた第１の取付部２０および第２の取付部３０と、袋本体１２の内面における第１の取付部２０の近傍に設けられた、袋本体１２を閉じるための接着部４０と、接着部４０を保護するよう当該接着部４０に剥離可能に貼り付けられた剥離シート５０と、を備えており、剥離シート５０は、第１の取付部２０および第２の取付部３０のうち少なくとも一方を覆うよう設けられている。【選択図】図７
2014174581.tif 000002
【特許請求の範囲】
【請求項１】
上部に開口が設けられた袋本体と、
前記袋本体における前記開口近傍にそれぞれ設けられた第１の取付部および第２の取付部と、
前記袋本体の内面における前記第１の取付部の近傍に設けられた、前記袋本体を閉じるための接着部と、
前記接着部を保護するよう当該接着部に剥離可能に貼り付けられた剥離シートと、
を備え、
前記剥離シートは、前記第１の取付部および前記第２の取付部のうち少なくとも一方を覆うよう設けられている、収納袋。
【請求項２】
前記剥離シートは、前記袋本体の内面における前記第２の取付部の近傍にも剥離可能に貼り付けられている、請求項１記載の収納袋。
【請求項３】
前記第１の取付部および前記第２の取付部は、前記袋本体における前記開口の縁部よりも上方に突出するような取付用の耳部分を含む、請求項１または２記載の収納袋。
【請求項４】
前記第１の取付部および前記第２の取付部には、取付用の貫通穴が設けられている、請求項１乃至３のいずれか一項に記載の収納袋。
【請求項５】
前記剥離シートは、操作者の手により引っ掛けられるよう折り曲げられた部分を含む、請求項１乃至４のいずれか一項に記載の収納袋。
【請求項６】
前記剥離シートの色は前記袋本体の色と異なるようになっている、請求項１乃至５のいずれか一項に記載の収納袋。
【請求項７】
前記剥離シートは、光非透過材料を含む、請求項１乃至６のいずれか一項に記載の収納袋。
【請求項８】
前記剥離シートに、当該剥離シートを剥がすことを操作者に促すようなメッセージが記載されている、請求項１乃至７のいずれか一項に記載の収納袋。
【請求項９】
上部に開口が設けられた袋本体と、
前記袋本体における前記開口近傍に設けられた取付部と、
前記袋本体の内面における前記開口近傍に設けられた、前記袋本体を閉じるための接着部と、
前記接着部を保護するよう当該接着部に剥離可能に貼り付けられた剥離シートと、
を備え、
前記剥離シートは、前記取付部を覆うよう設けられている、収納袋。
【請求項１０】
請求項１乃至９のいずれか一項に記載の収納袋が着脱自在に装着可能な収納部を備えた紙葉類収納装置であって、
前記収納部には、前記収納袋の前記取付部が着脱自在に取り付けられるようになっている、紙葉類収納装置。
【請求項１１】
上部に開口が設けられた袋本体と、前記袋本体の内面における前記開口近傍に設けられた、前記袋本体を閉じるための接着部と、前記接着部を保護するよう当該接着部に貼り付けられた剥離シートとを含む収納袋が着脱自在に装着可能な収納部を備えた紙葉類収納装置であって、
前記収納部には、前記収納袋が前記収納部に装着されたときにこの収納袋の前記剥離シートを検知する剥離シート検知部が設けられている、紙葉類収納装置。
【請求項１２】
前記収納部に装着された前記収納袋に前記剥離シートが付けられていることが前記剥離シート検知部により検知されたときにこのことを報知する報知部を更に備えた、請求項１１記載の紙葉類収納装置。
【発明の詳細な説明】
【技術分野】
【０００１】
本発明は、紙幣等の紙葉類が収納される収納袋、およびこのような収納袋が着脱自在に装着可能な収納部を備えた紙葉類収納装置に関する。
【背景技術】
【０００２】
紙幣等の紙葉類を収納する紙葉類収納装置において、機体内に取り込まれた紙葉類をパウチ袋等の収納袋に収納させるようなタイプのものが従来から用いられている。このような収納袋としては、例えば特許文献１等に開示されるものが知られている。特許文献１に開示される収納袋において、袋本体における上部開口近傍の外面には、この収納袋を紙葉類収納装置に取り付けるための、例えばプラスチック製の一対のタブが設けられている。具体的には、各タブには、袋本体における上部開口の縁部よりも上方に突出するような耳部分がそれぞれ設けられており、これらの耳部分には取付用の貫通穴が設けられている。そして、これらの耳部分に設けられた各貫通穴に、当該貫通穴に対応するよう紙葉類収納装置に設けられた各突起ピンが挿入されることにより、収納袋が着脱自在に紙葉類収納装置に装着されるようになっている。また、このような収納袋の袋本体における上部開口近傍の内面には、袋本体を密閉するための横方向に細長い接着部が設けられており、また、この接着部には、当該接着部を保護するよう剥離シートが貼り付けられている。
【先行技術文献】
【特許文献】
【０００３】
【特許文献１】フランス国特許出願公開公報ＦＲ２８５３３０１Ａ２
【発明の概要】
【発明が解決しようとする課題】
【０００４】
特許文献１に開示される収納袋を用いた紙葉類収納装置では、この紙葉類収納装置に収納袋を装着する際に、操作者が袋本体の内面に設けられた接着部から剥離シートを剥がしてこの接着部を露出させた状態とする。そして、収納袋に紙葉類が収納された後、この収納袋を紙葉類収納装置から取り外して回収する際に、露出している接着部を、袋本体における反対側の内面に接着させることにより、収納袋を密封する。しかしながら、特許文献１に開示されるような従来の収納袋では、紙葉類収納装置に収納袋を装着する際に、接着部から剥離シートを剥がし忘れてしまうおそれがあった。接着部から剥離シートを剥がし忘れてしまった場合には、収納袋を回収する際にこの収納袋が密封されなくなってしまうという問題が生じるようになる。
【０００５】
本発明は、このような点を考慮してなされたものであり、紙葉類収納装置に収納袋を装着する際に、接着部から剥離シートを剥がすことを操作者に気づかせることにより、剥離シートの剥がし忘れを防止することができる収納袋および紙葉類収納装置を提供することを目的とする。
【課題を解決するための手段】
【０００６】
本発明の収納袋は、上部に開口が設けられた袋本体と、前記袋本体における前記開口近傍にそれぞれ設けられた第１の取付部および第２の取付部と、前記袋本体の内面における前記第１の取付部の近傍に設けられた、前記袋本体を閉じるための接着部と、前記接着部を保護するよう当該接着部に剥離可能に貼り付けられた剥離シートと、を備え、前記剥離シートは、前記第１の取付部および前記第２の取付部のうち少なくとも一方を覆うよう設けられていることを特徴とする。
【０００７】
このような収納袋によれば、剥離シートが第１の取付部および第２の取付部のうち少なくとも一方を覆うよう設けられているため、収納袋を紙葉類収納装置に装着する際に、操作者は、紙葉類収納装置の収納袋保持機構等に取付部を取り付けるときに剥離シートの存在に気づくようになり、剥離シートを接着部から確実に剥がすようになる。
【０００８】
本発明の収納袋においては、前記剥離シートは、前記袋本体の内面における前記第２の取付部の近傍にも剥離可能に貼り付けられていてもよい。
【０００９】
本発明の収納袋においては、前記第１の取付部および前記第２の取付部は、前記袋本体における前記開口の縁部よりも上方に突出するような取付用の耳部分を含んでいてもよい。
【００１０】
本発明の収納袋においては、前記第１の取付部および前記第２の取付部には、取付用の貫通穴が設けられていてもよい。
【００１１】
本発明の収納袋においては、前記剥離シートは、操作者の手により引っ掛けられるよう折り曲げられた部分を含んでいてもよい。
【００１２】
本発明の収納袋においては、前記剥離シートの色は前記袋本体の色と異なるようになっていてもよい。
【００１３】
本発明の収納袋においては、前記剥離シートは、光非透過材料を含んでいてもよい。
【００１４】
本発明の収納袋においては、前記剥離シートに、当該剥離シートを剥がすことを操作者に促すようなメッセージが記載されていてもよい。
【００１５】
本発明の収納袋は、上部に開口が設けられた袋本体と、前記袋本体における前記開口近傍に設けられた取付部と、前記袋本体の内面における前記開口近傍に設けられた、前記袋本体を閉じるための接着部と、前記接着部を保護するよう当該接着部に剥離可能に貼り付けられた剥離シートと、を備え、前記剥離シートは、前記取付部を覆うよう設けられていることを特徴とする。
【００１６】
このような収納袋によれば、剥離シートが取付部を覆うよう設けられているため、収納袋を紙葉類収納装置に装着する際に、操作者は、紙葉類収納装置の収納袋保持機構等に取付部を取り付けるときに剥離シートの存在に気づくようになり、剥離シートを接着部から確実に剥がすようになる。
【００１７】
本発明の紙葉類収納装置は、上述した収納袋が着脱自在に装着可能な収納部を備えた紙葉類収納装置であって、前記収納部には、前記収納袋の前記取付部が着脱自在に取り付けられるようになっていることを特徴とする。
【００１８】
本発明の紙葉類収納装置は、上部に開口が設けられた袋本体と、前記袋本体の内面における前記開口近傍に設けられた、前記袋本体を閉じるための接着部と、前記接着部を保護するよう当該接着部に貼り付けられた剥離シートとを含む収納袋が着脱自在に装着可能な収納部を備えた紙葉類収納装置であって、前記収納部には、前記収納袋が前記収納部に装着されたときにこの収納袋の前記剥離シートを検知する剥離シート検知部が設けられていることを特徴とする。
【００１９】
このような紙葉類収納装置によれば、収納袋を収納部に装着する際にこの収納袋から剥離シートを剥がし忘れていた場合には、このことが剥離シート検知部により検知されるため、接着部から剥離シートを剥がすことを操作者に気づかせることができ、このことにより剥離シートの剥がし忘れを防止することができるようになる。
【００２０】
本発明の紙葉類収納装置は、前記収納部に装着された前記収納袋に前記剥離シートが付けられていることが前記剥離シート検知部により検知されたときにこのことを報知する報知部を更に備えていてもよい。
【発明の効果】
【００２１】
本発明の収納袋および紙葉類収納装置によれば、紙葉類収納装置に収納袋を装着する際に、接着部から剥離シートを剥がすことを操作者に気づかせることにより、剥離シートの剥がし忘れを防止することができる。
【図面の簡単な説明】
【００２２】
【図１】本発明の実施の形態における現金出納装置の外観を示す斜視図である。
【図２】図１に示す現金出納装置における紙幣出納装置の内部構成を示す構成図である。
【図３】図２に示す紙幣出納装置の収納部に装着された収納袋およびこの収納袋を保持するための収納袋保持機構の構成を示す斜視図である。
【図４】剥離シートを剥がした後の収納袋の状態を示す斜視図である。
【図５】剥離シートを剥がす前の収納袋の状態を示す斜視図である。
【図６】図５に示す収納袋を裏側から見たときの状態を示す斜視図である。
【図７】剥離シートを剥がす前の収納袋の構成を示す縦断面図である。
【図８】収納袋に取り付けられた取付タブの構成を示す図である。
【図９】収納袋の袋本体の上部の構成を示す図である。
【図１０】剥離シートの構成を示す図である。
【図１１】剥離シートを剥がす前の収納袋の他の構成を示す縦断面図である。
【図１２】剥離シートを剥がす前の収納袋の更に他の構成を示す縦断面図である。
【発明を実施するための形態】
【００２３】
以下、本発明の実施の形態において、本発明に係る紙葉類収納装置として紙幣の処理を行う紙幣出納装置が用いられる場合について説明する。また本実施の形態では、紙幣出納装置および硬貨出納装置が組み合わせられた現金出納装置についても説明する。
【００２４】
図１乃至図１２は、本実施の形態に係る収納袋およびこの収納袋が着脱自在に装着可能な収納部を備えた紙幣出納装置を示す図である。このうち、図１は、本実施の形態における現金出納装置の外観を示す斜視図であり、図２は、図１に示す現金出納装置における紙幣出納装置の内部構成を示す構成図である。また、図３は、図２に示す紙幣出納装置の収納部に装着された収納袋およびこの収納袋を保持するための収納袋保持機構の構成を示す斜視図である。また、図４乃至図１２は、収納袋の具体的構成を示す図である。
【００２５】
まず、図１を用いて現金出納装置１１０の構成について説明する。一般的に、スーパーマーケット等の店舗では、店員が顧客との間で実際にやりとりした現金を入出金するフロント領域と、フロント領域の現金や商品を管理するバックヤード領域とに区分けされており、フロント領域には一または複数の現金精算装置が設置されているとともに、バックヤード領域には図１に示すような現金出納装置１１０が設置されている。ここで、現金精算装置は、店員によって操作されるようになっており、店員と顧客との間の精算処理が当該現金精算装置によって行われる。例えば、現金精算装置は、顧客が支払った代金を入金したり、顧客へ支払う釣銭を出金したりするようになっている。また、現金出納装置１１０は、現金精算装置へ装填するための釣銭準備金を出金したり、現金精算装置から回収した売上金を入金したりするようになっている。そして、現金精算装置および現金出納装置１１０にそれぞれ着脱可能となっている現金搬送カセットにより、現金精算装置と現金出納装置１１０との間で現金の授受を行うようになっている。なお、現金搬送カセットは、現金精算装置や現金出納装置１１０から離脱しているときには当該現金搬送カセット内に収納された現金を取り出せないようになっている。
【００２６】
図１に示すように、バックヤード領域に設置される現金出納装置１１０は、紙幣出納装置１２０および硬貨出納装置１３０を備えている。紙幣出納装置１２０は、フロント領域に設置された現金精算装置へ装填する紙幣を出金したり、現金精算装置から回収した紙幣を入金したりするようになっている。また、硬貨出納装置１３０は、フロント領域に設置された現金精算装置へ装填する硬貨を出金したり、現金精算装置から回収した硬貨を入金したりするようになっている。
【００２７】
次に、図１および図２を用いて紙幣出納装置１２０の構成の概略について説明する。図１に示すように、紙幣出納装置１２０は、筐体１２０ａと、入金部１２１と、出金部１２２と、操作表示部１２９とを備えており、入金部１２１には、紙幣受入ユニット１２１ａが着脱自在に装着されている。ここで、紙幣受入ユニット１２１ａは、紙幣出納装置１２０の外部から紙幣を受け入れて１枚ずつ筐体１２０ａ内に繰り出すようになっている。このような紙幣受入ユニット１２１ａは、店員が紙幣出納装置１２０へ紙幣を手動で入金する場合に用いられるようになっている。なお、入金部１２１には、紙幣受入ユニット１２１ａの代わりに、前述した現金搬送カセットを装着することができるようになっていてもよい。この場合には、現金搬送カセットが入金部１２１に装着されたときに、この現金搬送カセットの内部に設けられた繰出機構により現金搬送カセット内の紙幣が１枚ずつ筐体１２０ａ内に繰り出されるようになっている。
【００２８】
図２に示すように、紙幣出納装置１２０の筐体１２０ａ内には紙幣を１枚ずつ搬送する搬送部１２３が設けられており、この搬送部１２３の端部１２３ａに前述した入金部１２１が設けられている。そして、紙幣受入ユニット１２１ａが入金部１２１に装着されたときに、当該紙幣受入ユニット１２１ａから繰り出された紙幣は搬送部１２３の端部１２３ａを介して当該搬送部１２３により搬送されるようになっている。
【００２９】
図２に示すように、搬送部１２３には識別部１２４が設けられており、この識別部１２４によって、搬送部１２３により搬送される紙幣の金種、正損、真偽等の識別を行うようになっている。
【００３０】
また、筐体１２０ａ内において複数の収納繰出部１２５が設けられており、各収納繰出部１２５はそれぞれ搬送部１２３に接続されている。各収納繰出部１２５は、紙幣を金種別に収納するようになっている。より詳細には、識別部１２４による識別結果に基づいて、入金部１２１から搬送部１２３に繰り出された紙幣は当該搬送部１２３により各収納繰出部１２５に金種別に送られるようになっている。また、各収納繰出部１２５は、当該収納繰出部１２５に収納された紙幣を１枚ずつ搬送部１２３に繰り出すことができるようになっている。各収納繰出部１２５は、図２に示すような紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。
【００３１】
また、筐体１２０ａ内には収納部（回収部）１２６が設けられており、この収納部１２６は、収納繰出部１２５に収納された紙幣を回収する際に用いられるようになっている。より具体的には、収納部１２６には、紙幣を収納する収納袋１０（後述）が着脱自在に装着可能となっており、収納繰出部１２５から搬送部１２３を経て収納部１２６に送られた紙幣が収納袋１０内に収納されるようになっている。また、各収納繰出部１２５に割り当てられていない金種の紙幣や、対応する金種の収納繰出部１２５がフル状態のために収納できないオーバーフロー紙幣も収納袋１０内に収納されるようになっている。そして、収納部１２６から収納袋１０を取り出すことにより、紙幣出納装置１２０から収納袋１０ごと紙幣の回収を行うようになっている。
【００３２】
また、図２に示すように、紙幣出納装置１２０には、機外リジェクト部１２７および機内リジェクト部１２８がそれぞれ設けられている。ここで、機外リジェクト部１２７には、入金部１２１により筐体１２０ａ内に取り込まれた紙幣のうち識別部１２４により正常な紙幣ではないと識別された紙幣がリジェクト紙幣として搬送部１２３から送られるようになっており、この機外リジェクト部１２７によりリジェクト紙幣を紙幣出納装置１２０の外部に投出するようになっている。一方、機内リジェクト部１２８には、紙幣出納装置１２０の外部に投出することのできないようなリジェクト紙幣が搬送部１２３から送られるようになっており、この機内リジェクト部１２８にリジェクト紙幣を収納するようになっている。そして、店員等の管理権限のない操作者は機内リジェクト部１２８内の紙幣を取り出すことはできないようになっている。
【００３３】
操作表示部１２９は、現金出納装置１１０における紙幣や硬貨の収納状態等の様々な情報を表示するとともに、店員がデータを入力することができるように構成されている。操作表示部１２９は、例えばタッチパネル式のディスプレイ等から構成されている。なお、操作表示部１２９は、紙幣出納装置１２０または硬貨出納装置１３０のいずれか一方に設けられ、それらの両方の情報を表示するために共通に用いられるようになっている。
【００３４】
次に、このような紙幣出納装置１２０における収納部１２６およびこの収納部１２６に装着される収納袋１０の構成について図３乃至図１０を用いて説明する。ここで、図３は、図２に示す紙幣出納装置１２０の収納部１２６に装着される収納袋１０およびこの収納袋１０を保持するための収納袋保持機構１４０の構成を示す斜視図である。また、図４は、剥離シート５０を剥がした後の収納袋１０の状態を示す斜視図であり、図５は、剥離シート５０を剥がす前の収納袋１０の状態を示す斜視図であり、図６は、図５に示す収納袋１０を裏側から見たときの状態を示す斜視図である。また、図７は、剥離シート５０を剥がす前の収納袋１０の構成を示す縦断面図であり、図８は、収納袋１０に取り付けられた取付タブ２０、３０の構成を示す図であり、図９は、収納袋１０の袋本体１２の上部の構成を示す図である。また、図１０は、剥離シート５０の構成を示す図である。
【００３５】
図３に示すように、紙幣出納装置１２０の収納部１２６に設けられた収納袋保持機構１４０には、第１の保持部材１４２および第２の保持部材１４４が互いに対向するよう離間して設けられている。ここで、第２の保持部材１４４はその位置が固定されているのに対し、第１の保持部材１４２は第２の保持部材１４４に向かって移動させることができるようになっている。収納袋１０を収納部１２６に装着して、紙幣出納装置１２０の収納繰出部１２５から搬送部１２３を経て収納部１２６に送られた紙幣を収納袋１０内に収納する際には、図３に示すように第１の保持部材１４２および第２の保持部材１４４は互いに離間した位置にある。一方、紙幣を収納袋１０に収納し終わったあと、この収納袋１０を収納部１２６から取り外す際には第１の保持部材１４２を第２の保持部材１４４に向かって移動させ（具体的には、図３における左下方向に第１の保持部材１４２を移動させ）、これらの第１の保持部材１４２および第２の保持部材１４４を接合させることにより、収納袋１０の袋本体１２の内面に形成された接着部４０（後述）によってこの袋本体１２を密閉するようになっている。
【００３６】
図４乃至図６に示すように、本実施の形態による収納袋１０は、上部に開口１４が設けられた袋本体１２を有しており、この袋本体１２の一方の表面における開口１４近傍には第１の取付タブ２０が取り付けられているとともに袋本体１２の他方の表面（第１の取付タブ２０が取り付けられた面とは反対側の表面）における開口１４近傍には第２の取付タブ３０が取り付けられている。また、図４乃至図７に示すように、袋本体１２の内面における第１の取付タブ２０の近傍には、袋本体１２を密閉するための横方向に（すなわち、収納袋１０の幅方向に）細長い接着部４０が設けられており、この接着部４０には、当該接着部４０を保護するよう剥離シート５０が剥離可能に貼り付けられている。ここで、本実施の形態では、図６および図７に示すように、剥離シート５０は第２の取付タブ３０を覆うよう設けられている。このような収納袋１０の構成の詳細について以下に説明する。
【００３７】
図４乃至図６および図８等に示すように、第１の取付タブ２０には、袋本体１２における開口１４の縁部よりも上方に突出するような耳部分２２が２つ設けられており、各耳部分２２には、取付用の貫通穴２４が形成されている。また、各耳部分２２にはそれぞれミシン目２６が設けられており、これらのミシン目２６に沿って各耳部分２２を折り曲げることができるようになっている。同様に、第２の取付タブ３０にも、袋本体１２における開口１４の縁部よりも上方に突出するような耳部分３２が２つ設けられており、各耳部分３２には、取付用の貫通穴３４が形成されている。また、各耳部分３２にはそれぞれミシン目３６が設けられており、これらのミシン目３６に沿って各耳部分３２を折り曲げることができるようになっている。第１の取付タブ２０および第２の取付タブ３０はそれぞれ例えば透明なプラスチック等から形成されている。なお、図８に示すように、各ミシン目２６、３６は、各耳部分２２、３２の取り付け箇所の全部ではなく一部に形成されている。このことにより、収納袋１０を紙幣出納装置１２０の収納部１２６に装着し、この収納袋１０に紙幣を収納した際に、紙幣の重みで各ミシン目２６、３６が切れてしまって各耳部分２２、３２が各取付タブ２０、３０から取れてしまうことを防止することができる。
【００３８】
また、図３に示すように、収納袋保持機構１４０の第１の保持部材１４２および第２の保持部材１４４にもそれぞれ２つのピン部材１４３、１４５が設けられている。そして、収納袋１０を紙幣出納装置１２０の収納部１２６に装着する際に、各取付タブ２０、３０のミシン目２６、３６に沿って各耳部分２２、３２を折り曲げた後、折り曲げられた各耳部分２２、３２の貫通穴２４、３４に各ピン部材１４３、１４５を通すことにより、図３に示すように、収納袋１０は、開かれた状態で収納袋保持機構１４０の第１の保持部材１４２および第２の保持部材１４４により保持されるようになる。
【００３９】
次に、袋本体１２を密閉するための接着部４０に貼り付けられた剥離シート５０の構成について説明する。図５および図６に示すように、収納袋１０を紙幣出納装置１２０の収納部１２６に装着する前の状態では、剥離シート５０が接着部４０に貼り付けられており、このことにより接着部４０が露出しないようになっている。一方、図３に示すように収納袋１０を紙幣出納装置１２０の収納部１２６に装着する際に、操作者は接着部４０から剥離シート５０を剥がし、接着部４０を露出させる。その後、収納袋１０への紙幣の収納動作が完了し、この収納袋１０を紙幣出納装置１２０の収納部１２６から取り外す際に、収納袋保持機構１４０において第１の保持部材１４２を第２の保持部材１４４に向かって移動させ、これらの第１の保持部材１４２および第２の保持部材１４４を接合させることにより、接着部４０によって袋本体１２を密閉する。
【００４０】
図５乃至図７、図１０等に示すように、剥離シート５０は、接着部４０に貼り付けられる第１のシート部分５２と、第１のシート部分５２から折り曲げられた第２のシート部分５４とを含んでいる。接着部４０に貼り付けられる第１のシート部分５２から第２のシート部分５４が折り曲げられていることにより、操作者はこの第２のシート部分５４に手を引っ掛けて剥離シート５０を接着部４０から剥がすことができるようになる。また、図６および図７に示すように、剥離シート５０の第１のシート部分５２および第２のシート部分５４により、第２の取付タブ３０、とりわけこの第２の取付タブ３０の各耳部分３２が覆われるようになっている。このことにより、図３に示すように収納袋１０を紙幣出納装置１２０の収納部１２６に装着する際に、操作者は、第２の取付タブ３０の各耳部分３２の貫通穴３４に第２の保持部材１４４のピン部材１４５を通すときに剥離シート５０の存在に気づくようになり、剥離シート５０を接着部４０から確実に剥がすようになる。言い換えると、剥離シート５０を剥がさなければ第２の取付タブ３０の各耳部分３２の貫通穴３４が露出しないようになっているため、剥離シート５０の剥がすことなく第２の取付タブ３０の各耳部分３２の貫通穴３４に第２の保持部材１４４のピン部材１４５を通すことはできない。このように、剥離シート５０が第２の取付タブ３０を覆うよう設けられているため、紙幣出納装置１２０の収納部１２６に収納袋１０を装着する際に、接着部４０から剥離シート５０を剥がすことを操作者に気づかせることにより、剥離シート５０の剥がし忘れを防止することができる。
【００４１】
本実施の形態では、剥離シート５０の色は、袋本体１２の色とは異なるようになっている。具体的には、袋本体１２の色が例えば透明であるのに対し、剥離シート５０の色は例えば赤色となっている。このことにより、剥離シート５０が目立つようになり、紙幣出納装置１２０の収納部１２６に収納袋１０を装着する際に接着部４０から剥離シート５０を剥がすことをより確実に操作者に気づかせることができるようになる。なお、袋本体１２の色は透明であることに限定されることなく、光が透過する色であれば必ずしも透明である必要はない。また、後述する剥離シート検知センサ１６０が紙幣出納装置１２０の収納部１２６に設けられない場合には、袋本体１２は光非透過材料を含むようになっていてもよい。
【００４２】
また、剥離シート５０は、光非透過材料を含むようになっていることが好ましい。このことにより、剥離シート５０によって第２の取付タブ３０の各耳部分３２が見えなくなるため、紙幣出納装置１２０の収納部１２６に収納袋１０を装着する際に接着部４０から剥離シート５０を剥がすことをより確実に操作者に気づかせることができるようになる。
【００４３】
また、図１０に示すように、剥離シート５０の第２のシート部分５４の表面には、「剥離シートをはがして下さい」等、剥離シート５０を剥がすことを操作者に促すようなメッセージが記載されている。このことにより、紙幣出納装置１２０の収納部１２６に収納袋１０を装着する際に接着部４０から剥離シート５０を剥がすことをより確実に操作者に気づかせることができるようになる。
【００４４】
また、本実施の形態では、図７に示すように、剥離シート５０の第１のシート部分５２における接着部４０に貼り付けられた面と反対側の面（図７における右側の面）は、袋本体１２の内面における第２の取付タブ３０の近傍にも追加の接着部４２によって剥離可能に貼り付けられている。ここで、接着部４０は袋本体１２の開口１４の幅方向に沿った横方向に細長いものとなっているのに対し、追加の接着部４２は非常に小さな点形状のものとなっており、剥離シート５０の第１のシート部分５２と袋本体１２の内面とをピンポイントで貼り付けている。このことにより、操作者が紙幣出納装置１２０の収納部１２６に収納袋１０を装着する際に、収納袋１０を開くときに剥離シート５０の第１のシート部分５２と袋本体１２における第２の取付タブ３０側の内面との間の接着に気づくようになるため、剥離シート５０の存在にも気づくようになり、接着部４０から剥離シート５０を剥がすことをより確実に操作者に気づかせることができるようになる。
【００４５】
また、本実施の形態では、収納袋１０の袋本体１２に空気抜き用の穴（図示せず）が設けられている。収納袋１０に紙幣を収納し、この収納袋１０の袋本体１２を接着部４０により密閉すると、袋本体１２内の密閉された空間に空気が含まれるようになり、このため収納袋１０の体積が大きくなってしまい輸送スペースを大きくとる必要がある等の、収納袋１０の運搬性に問題が生じるおそれがあるが、収納袋１０の袋本体１２に空気抜き用の穴を設けた場合には、この穴により袋本体１２内の密閉された空間から空気を抜くことが可能になり、収納袋１０の体積を小さくすることができる。
【００４６】
また、図８に示すように、各取付タブ２０、３０の下部中央には、三角形の目印部分２９、３９が設けられている。また、図９に示すように、袋本体１２の表面および裏面の各々における開口１４近傍の上部には、直径約０．５ｍｍ程度の小さな穴１２ａがそれぞれ設けられている。そして、袋本体１２に各取付タブ２０、３０を取り付ける際に、袋本体１２の表面および裏面にそれぞれ設けられた穴１２ａの位置を、各取付タブ２０、３０の下部中央に設けられた三角形の目印部分２９、３９の底辺中央の位置に合わせることにより、各取付タブ２０、３０を袋本体１２の所望の位置に位置合わせして取り付けることができるようになる。また、袋本体１２の表面および裏面にそれぞれ設けられた穴１２ａが、上述した空気抜き用の穴を兼ねるようになっていてもよい。また、各取付タブ２０、３０の下部中央に三角形の目印部分２９、３９を設けることに加えて、あるいは各取付タブ２０、３０の下部中央に三角形の目印部分２９、３９を設ける代わりに、各取付タブ２０、３０の幅方向における中央位置に図８における上下方向に延びるセンターライン（図示せず）を設けてもよい。この場合には、袋本体１２に各取付タブ２０、３０を取り付ける際に、袋本体１２の表面および裏面にそれぞれ設けられた穴１２ａの位置を、各取付タブ２０、３０のセンターラインの位置に合わせることにより、各取付タブ２０、３０を袋本体１２の所望の位置に位置合わせして取り付けることができるようになる。
【００４７】
また、図３に示すように、紙幣出納装置１２０の収納部１２６には、収納袋１０が収納袋保持機構１４０に保持されたときにこの収納袋１０の剥離シート５０を検知する剥離シート検知センサ１６０が設けられている。剥離シート検知センサ１６０は、例えば第１の保持部材１４２に設けられた発光素子および第２の保持部材１４４に設けられた受光素子を含む光センサからなり、発光素子から発せられた光が光非透過部材からなる剥離シート５０により遮られて受光素子に届かなくなることにより、収納袋１０に剥離シート５０が取り付けられていることを検知するようになっている。このように、操作者が収納袋１０から剥離シート５０を剥がし忘れた状態でこの収納袋１０を紙幣出納装置１２０の収納部１２６に装着したときには、剥離シート検知センサ１６０によりこのことを検知することができるようになる。また、本実施の形態では、紙幣出納装置１２０の収納部１２６に装着された収納袋１０に剥離シート５０が付けられていることが剥離シート検知センサ１６０により検知されたときに、このことを操作表示部１２９に表示させることによって操作者に報知するようになっている。なお、操作者への報知方法は、操作表示部１２９における表示に限定されることはなく、例えば音声により操作者に報知する等、様々な手段を用いることができる。
【００４８】
以上のように本実施の形態の収納袋１０によれば、接着部４０を保護するよう当該接着部４０に剥離可能に貼り付けられた剥離シート５０は、袋本体１２における開口１４近傍に設けられた第２の取付タブ３０を覆うよう設けられている。このことにより、収納袋１０を紙幣出納装置１２０の収納部１２６に装着する際に、操作者は、収納袋保持機構１４０の第２の保持部材１４４に第２の取付タブ３０を取り付けるときに剥離シート５０の存在に気づくようになり、剥離シート５０を接着部４０から確実に剥がすようになる。
【００４９】
また、本実施の形態の収納袋１０においては、前述したように、剥離シート５０は、袋本体１２の内面における第２の取付タブ３０の近傍にも追加の接着部４２により剥離可能に貼り付けられている。このことにより、操作者が紙幣出納装置１２０の収納部１２６に収納袋１０を装着する際に、収納袋１０を開くときに剥離シート５０と袋本体１２における第２の取付タブ３０側の内面との間の接着に気づくようになるため、剥離シート５０の存在にも気づくようになり、接着部４０から剥離シート５０を剥がすことをより確実に操作者に気づかせることができるようになる。
【００５０】
また、本実施の形態の収納袋１０においては、前述したように、第１の取付タブ２０および第２の取付タブ３０は、それぞれ、袋本体１２における開口１４の縁部よりも上方に突出するような取付用の耳部分２２、３２を含んでいる。また、第１の取付タブ２０および第２の取付タブ３０には、取付用の貫通穴２４、３４がそれぞれ設けられている。
【００５１】
また、本実施の形態の収納袋１０においては、前述したように、剥離シート５０は、操作者の手により引っ掛けられるよう折り曲げられた第２のシート部分５４を含んでいる。
【００５２】
また、本実施の形態の収納袋１０においては、前述したように、剥離シート５０の色は袋本体１２の色と異なるようになっている。また、剥離シート５０は、光非透過材料を含んでいる。また、剥離シート５０に、当該剥離シート５０を剥がすことを操作者に促すようなメッセージが記載されている。これらの技術的事項により、紙幣出納装置１２０の収納部１２６に収納袋１０を装着する際に接着部４０から剥離シート５０を剥がすことをより確実に操作者に気づかせることができるようになる。
【００５３】
なお、本実施の形態による収納袋１０や紙幣出納装置１２０は、上述したような態様に限定されることはなく、様々な変更を加えることができる。
【００５４】
例えば、接着部４０を保護するよう当該接着部４０に剥離可能に貼り付けられた剥離シートは、第２の取付タブ３０ではなく第１の取付タブ２０を覆うよう設けられていていてもよい。このような態様について図１１を用いて説明する。なお、図１１に示すような変形例の説明において、図７等に示す収納袋１０と同じ構成要素については同じ参照符号を付してその説明を省略する。
【００５５】
図１１に示すような変形例に係る収納袋１０ａでは、剥離シート６０は、接着部４０に貼り付けられる第１のシート部分６２と、第１のシート部分６２から折り曲げられた第２のシート部分６４とを含んでいる。接着部４０に貼り付けられる第１のシート部分６２から第２のシート部分６４が折り曲げられていることにより、操作者はこの第２のシート部分６４に手を引っ掛けて剥離シート６０を接着部４０から剥がすことができるようになる。また、図１１に示すように、剥離シート６０の第１のシート部分６２および第２のシート部分６４により、第１の取付タブ２０、とりわけこの第１の取付タブ２０の各耳部分２２が覆われるようになっている。このことにより、収納袋１０ａを紙幣出納装置１２０の収納部１２６に装着する際に、操作者は、第１の取付タブ２０の各耳部分２２の貫通穴２４に第１の保持部材１４２のピン部材１４３を通すときに剥離シート６０の存在に気づくようになり、剥離シート６０を接着部４０から確実に剥がすようになる。言い換えると、剥離シート６０の剥がさなければ第１の取付タブ２０の各耳部分２２の貫通穴２４が露出しないようになっているため、剥離シート６０の剥がすことなく第１の取付タブ２０の各耳部分２２の貫通穴２４に第１の保持部材１４２のピン部材１４３を通すことはできない。このように、剥離シート６０が第１の取付タブ２０を覆うよう設けられているため、紙幣出納装置１２０の収納部１２６に収納袋１０を装着する際に、接着部４０から剥離シート６０を剥がすことを操作者に気づかせることにより、剥離シート６０の剥がし忘れを防止することができる。
【００５６】
また、更なる変形例において、接着部４０を保護するよう当該接着部４０に剥離可能に貼り付けられた剥離シートは、第１の取付タブ２０および第２の取付タブ３０の両方を覆うよう設けられていていてもよい。このような態様について図１２を用いて説明する。なお、図１２に示すような更なる変形例の説明において、図７等に示す収納袋１０と同じ構成要素については同じ参照符号を付してその説明を省略する。
【００５７】
図１２に示すような更なる変形例に係る収納袋１０ｂでは、剥離シート７０は、接着部４０に貼り付けられる第１のシート部分７２と、第１の取付タブ２０を覆うよう第１のシート部分７２から折り曲げられた第２のシート部分７４と、第１のシート部分７２から折り曲げられ、追加の接着部４２によってピンポイントで袋本体１２の内面における第２の取付タブ３０の近傍に剥離可能に貼り付けられた第３のシート部分７６と、第２の取付タブ３０を覆うよう第３のシート部分７６から折り曲げられた第４のシート部分７８と、を含んでいる。接着部４０に貼り付けられる第１のシート部分７２から第２のシート部分７４が折り曲げられていることにより、操作者はこの第２のシート部分７４に手を引っ掛けて剥離シート７０を接着部４０から剥がすことができるようになる。また、図１２に示すように、剥離シート７０の第１のシート部分７２および第２のシート部分７４により、第１の取付タブ２０、とりわけこの第１の取付タブ２０の各耳部分２２が覆われるようになっており、また、剥離シート７０の第３のシート部分７６および第４のシート部分７８により、第２の取付タブ３０、とりわけこの第２の取付タブ３０の各耳部分３２が覆われるようになっている。このように、剥離シート７０が第１の取付タブ２０および第２の取付タブ３０をそれぞれ覆うよう設けられているため、紙幣出納装置１２０の収納部１２６に収納袋１０を装着する際に、接着部４０から剥離シート７０を剥がすことを操作者に気づかせることにより、剥離シート７０の剥がし忘れを防止することができる。
【００５８】
また、上述した態様では、収納袋１０に第１の取付タブ２０および第２の取付タブ３０という２つの取付タブが設けられた例について説明したが、本実施の形態は、収納袋１０に２つの取付タブが設けられるような態様に限定されることはない。収納袋１０に１つの取付タブのみが設けられていてもよく、あるいは、収納袋１０に３つ以上の取付タブが設けられていてもよい。本発明では、収納袋１０に１つの取付タブのみが設けられている場合において、剥離シート５０は、この１つの取付タブを覆うよう設けられるようになっている。
【００５９】
また、本発明では、収納袋１０において第１の取付タブ２０や第２の取付タブ３０等の取付タブの設置が省略され、その代わりに袋本体１２の上部に取付用の複数の貫通穴が設けられるようになっていてもよい。この場合には、収納袋１０を紙幣出納装置１２０の収納部１２６に装着する際に、袋本体１２の上部に設けられた取付用の各貫通穴に各ピン部材１４３、１４５を通すことにより、収納袋１０は、開かれた状態で収納袋保持機構１４０の第１の保持部材１４２および第２の保持部材１４４により保持されるようになる。また、この場合、袋本体１２の上部に設けられた取付用の複数の貫通穴が取付部として機能するようになり、接着部４０を保護するよう当該接着部４０に剥離可能に貼り付けられた剥離シート５０は、袋本体１２における取付用の複数の貫通穴のうち少なくとも１つの貫通穴を覆うよう設けられるようになる。
【００６０】
また、本発明の紙幣出納装置１２０では、収納袋１０が収納袋保持機構１４０に保持されたときにこの収納袋１０の剥離シート５０を検知する剥離シート検知センサ１６０が設置されている場合には、収納袋１０において必ずしもこの剥離シート５０により第１の取付タブ２０や第２の取付タブ３０を覆っている必要はない。第１の取付タブ２０や第２の取付タブ３０が剥離シート５０により覆われていないような収納袋１０を収納部１２６に装着した場合でも、操作者が収納袋１０から剥離シート５０を剥がし忘れた状態でこの収納袋１０を紙幣出納装置１２０の収納部１２６に装着したときには、剥離シート検知センサ１６０によりこのことを検知することができるようになる。また、この場合、紙幣出納装置１２０の収納部１２６に装着された収納袋１０に剥離シート５０が付けられていることが剥離シート検知センサ１６０により検知されたときに、このことを操作表示部１２９に表示させることによって操作者に報知するようになっている。このように、収納袋１０が収納部１２６に装着されたときにこの収納袋１０の剥離シート５０を検知する剥離シート検知センサ１６０を設置することによって、接着部４０から剥離シート５０を剥がすことを操作者に気づかせることにより、剥離シート５０の剥がし忘れを防止することができるようになる。
【００６１】
また、剥離シート５０を検知するための剥離シート検知センサ１６０は光センサに限定されることはない。他の種類のセンサとして磁気センサが剥離シート検知センサ１６０として用いられ、剥離シート５０には、磁気センサにより検知される例えば金属材料が付けられるようになっていてもよい。
【００６２】
また、上記の説明では、本発明による収納袋１０がバックヤード領域に設置された紙幣出納装置１２０に着脱自在に装着される例について説明したが、このような態様に限定されることはない。例えば、本発明による収納袋１０がフロント領域に設置された現金精算装置に着脱自在に装着されるようになっていてもよい。
【００６３】
また、収納袋１０が収納部１２６に装着されたときにこの収納袋１０の剥離シート５０を検知する剥離シート検知センサ１６０を紙幣出納装置１２０の収納部１２６に設置した場合に、操作表示部１２９等の報知部による報知に加えて、あるいは操作表示部１２９等の報知部による報知に代えて、剥離シート検知センサ１６０による剥離シート５０の検知情報を上位端末や携帯端末に送信し、店舗責任者や警送会社にも当該検知情報を伝えるようになっていてもよい。
【符号の説明】
【００６４】
１０、１０ａ、１０ｂ  収納袋
１２  袋本体
１２ａ  穴
１４  開口
２０  第１の取付タブ
２２  耳部分
２４  貫通穴
２６  ミシン目
２９  目印部分
３０  第２の取付タブ
３２  耳部分
３４  貫通穴
３６  ミシン目
３９  目印部分
４０  接着部
４２  追加の接着部
５０  剥離シート
５２  第１のシート部分
５４  第２のシート部分
６０  剥離シート
６２  第１のシート部分
６４  第２のシート部分
７０  剥離シート
７２  第１のシート部分
７４  第２のシート部分
７６  第３のシート部分
７８  第４のシート部分
１１０  現金出納装置
１２０  紙幣出納装置
１２０ａ  筐体
１２１  入金部
１２１ａ  紙幣受入ユニット
１２２  出金部
１２３  搬送部
１２３ａ  端部
１２４  識別部
１２５  収納繰出部
１２６  収納部（回収部）
１２７  機外リジェクト部
１２８  機内リジェクト部
１２９  操作表示部
１３０  硬貨出納装置
１４０  収納袋保持機構
１４２  第１の保持部材
１４３  ピン部材
１４４  第２の保持部材
１４５  ピン部材
１６０  剥離シート検知センサ
【図１】
2014174581.tif 000003
【図２】
2014174581.tif 000004
【図３】
2014174581.tif 000005
【図４】
2014174581.tif 000006
【図５】
2014174581.tif 000007
【図６】
2014174581.tif 000008
【図７】
2014174581.tif 000009
【図８】
2014174581.tif 000010
【図９】
2014174581.tif 000011
【図１０】
2014174581.tif 000012
【図１１】
2014174581.tif 000013
【図１２】
2014174581.tif 000014